(57)【特許請求の範囲】
【請求項１】
面材と、当該面材に形成されたパイプ挿通孔部に挿通された円筒形状のパイプと、前記面材及び前記パイプの間を塞ぐための折曲可能かつ伸張性を有する２枚以上の防水シートと、を備える防水構造であって、
当該防水シートの一辺には、略円弧形状を呈する切欠部が形成されており、
前記切欠部の略円弧形状の径は、前記パイプの外径よりも小さく、
前記防水シートは、前記切欠部を含み前記パイプの外周面に貼り付けられるパイプ貼付部と、前記面材に貼り付けられる面材貼付部と、を備え、
前記パイプ貼付部は、伸張した状態で前記パイプの外周面に貼り付けられており、
２枚以上の前記防水シートにおける前記切欠部の円弧形状の中心角の合計は、３６０度以上であり、
隣接する２枚の前記防水シートは、前記パイプ貼付部及び前記面材貼付部のそれぞれにおいて、互いに部分的に重ねられている
ことを特徴とする防水構造。
【請求項２】
２枚以上の前記防水シートのうち、隣接して下に設けられる前記防水シートは、当該防水シートに隣接して上に設けられる前記防水シートよりも先に前記パイプ及び前記面材に貼り付けられており、
隣接して上に設けられる前記防水シートは、当該防水シートに隣接して下に設けられる前記防水シートに部分的に重ねて貼り付けられている
ことを特徴とする請求項１に記載の防水構造。
【請求項３】
面材と、当該面材に形成されたパイプ挿通孔部に挿通された円筒形状のパイプと、前記面材及び前記パイプの間を塞ぐための折曲可能かつ伸張性を有する防水シートと、を備える防水構造であって、
前記防水シートには、
当該防水シートの中央部に位置する孔部と、
一端部が前記孔部に連結されているとともに他端部が当該防水シートの一辺から開放されている一の切欠溝部と、
が形成されており、
前記孔部の径は、前記パイプの外径よりも小さく、
前記防水シートは、前記孔部及び前記切欠溝部の前記孔部側となる端部を含み前記パイプの外周面に貼り付けられるパイプ貼付部と、前記面材に貼り付けられる面材貼付部と、を備え、
前記パイプ貼付部は、伸張した状態で前記パイプの外周面に貼り付けられており、
前記切欠溝部の両側は、前記パイプ貼付部及び前記面材貼付部のそれぞれにおいて、互いに重ねられている
ことを特徴とする防水構造。
【発明の詳細な説明】
【技術分野】
【０００１】
本発明は、面材と、当該面材に形成されたパイプ挿通孔部に挿通されるパイプと、の間を塞ぐための防水構造に関する。
【背景技術】
【０００２】
従来、住宅等の建築物において、換気等を目的として、外壁部を貫通するパイプを設ける構造が知られている。
かかる構造では、パイプと外壁部のパイプ挿通孔部との間の隙間から雨水等が建築物内に浸入することを防ぐために、パイプの外径と略同径の孔部を有する板状の定形品であるゴム製又はプラスチック製の防水部材をパイプに外嵌させ、定形品の防水部材の周縁部と外壁部との間の隙間を防水テープで塞ぐことが行われる。
【先行技術文献】
【非特許文献】
【０００３】
【非特許文献１】「窯業系サイディングを使用した外壁の換気口周辺の防水施工マニュアル」、ＮＰＯ法人住宅外装テクニカルセンター  住宅外装防水研究会、平成１６年９月
【発明の概要】
【発明が解決しようとする課題】
【０００４】
しかし、前記した構造では、パイプのサイズごとに異なる定形品の防水部材を用意する必要があり、また、定形品の防水部材及び防水テープの両方が必要であるとともに取付作業に手間がかかってしまう。
【０００５】
かかる事情に鑑み、定形品の防水部材を省略し、防水テープのみで前記隙間を塞ぐことが考えられる。
【０００６】
例えば、一つの手法として、１本の長尺状の伸張性防水テープをパイプの周方向に沿って貼り付けることによって、前記隙間を塞ぐことが考えられる。
この場合には、１本の長尺状の伸張性防水テープを二つ折りにし、二つ折りにされた伸張性防水テープをパイプの周方向に沿わせ、一方がパイプの外周面に伸張させながら貼り付けられるとともに、他方が外壁部に伸張させながら貼り付けられることとなる。
【０００７】
しかし、このような１本の伸張性防水テープの貼付手法では、複数のサイズのパイプに対応可能であるが、伸張性防水テープの伸ばし方によって、施工時に伸張性防水テープが切れたり、施工後に伸張性防水テープが剥がれたりするという懸念がある。
特に、外壁部に貼り付けられる側は、パイプの外周面に貼り付けられる側よりも伸張率が大きくなるので、施工時に切れやすくなるとともに施工後に収縮によって剥がれやすくなってしまう。
【０００８】
また、別の手法として、伸張性を有していない定形品の防水テープを短く切ったものを複数枚用意し、パイプの周方向に並べて貼り付けることによって、前記隙間を塞ぐことも考えられる。
【０００９】
しかし、このような複数枚の非伸張性の防水テープの貼付手法では、防水テープが伸張性を有していないので、パイプと外壁部との間の隙間を塞ぎきれないことがある上に、貼付作業の手間もかかってしまう。
【００１０】
本発明は、前記した事情に鑑みて創案されたものであり、面材と、当該面材に形成されたパイプ挿通孔部に挿通されるパイプと、の間を塞ぐためのものであって、施工時のパイプへの貼付作業が容易であるとともに、施工時における防水シートの切れ、及び、施工後における防水シートの剥がれを抑制することが可能な防水構造を提供することを課題とする。
【課題を解決するための手段】
【００１１】
前記課題を解決するため、本発明の防水構造は、面材と、当該面材に形成されたパイプ挿通孔部に挿通された円筒形状のパイプと、前記面材及び前記パイプの間を塞ぐための折曲可能かつ伸張性を有する２枚以上の防水シートと、を備える防水構造であって、当該防水シートの一辺には、略円弧形状を呈する切欠部が形成されており、前記切欠部の略円弧形状の径は、前記パイプの外径よりも小さく、前記防水シートは、前記切欠部を含み前記パイプの外周面に貼り付けられるパイプ貼付部と、前記面材に貼り付けられる面材貼付部と、を備え、前記パイプ貼付部は、伸張した状態で前記パイプの外周面に貼り付けられており、２枚以上の前記防水シートにおける前記切欠部の円弧形状の中心角の合計は、３６０度以上であり、隣接する２枚の前記防水シートは、前記パイプ貼付部及び前記面材貼付部のそれぞれにおいて、互いに部分的に重ねられていることを特徴とする。
【００１２】
かかる構成によると、パイプの形状に合わせてカットされた防水シートを用いるので、切欠部側をパイプの外周面に沿って貼り付けるとともにそれ以外の部位をほぼ伸張させずに面材の一面に貼り付けることが可能となる。
したがって、施工時のパイプへの貼付作業が容易であるとともに、防水シートの面材に貼り付けられる部位の伸張率を抑え、施工時における防水シートの切れ、及び、施工後の防水シートの剥がれを抑制することができる。そのため、かかる防水シートは、伸張性を有する防水シートだけでなく、伸張性を有しない防水シートにも適用可能である。
また、切欠部をパイプの外周面に沿わせた状態で防水シートをパイプの外周面及び面材の一面に貼り付けることが可能であるので、施工が容易である。
また、面材に貼り付けられる部位の伸張率を抑えることによって、面材に貼り付けられる部位が剥がれにくくなるので当該部位の面積を広く確保することができ、防水性を向上することができる。
また、かかる構成によると、切欠部の円弧形状の径がパイプの外径よりも小さいので、切欠部からパイプの外径と同じとなる部位までの範囲をいわゆるパイプ貼付部とするとともにそれ以外の部位をいわゆる面材貼付部とすることができ、パイプ貼付部を、当該パイプ貼付部の切欠部側をパイプの周方向に伸張させながらパイプの外周面に貼り付けるとともに、面材貼付部をほぼ伸張させずに面材に貼り付けることが可能となる。したがって、面材に貼り付けられる部位の伸張率をより好適に抑えることができる。
また、かかる構成によると、２枚以上の防水シートをパイプの外周面の周方向に並べるように用いることによって、面材とパイプとの間を好適に塞ぐことができる。
また、かかる構成によると、２枚以上の防水シートの切欠部の円弧形状の中心角の合計が３６０度以上であるので、パイプの外周全体にわたって好適に防水することができる。
また、かかる構成によると、施工時のパイプへの貼付作業が容易であるとともに、施工時における防水シートの切れ、及び、施工後における防水シートの剥がれを抑制することができる。
【００２１】
また、２枚以上の前記防水シートのうち、隣接して下に設けられる前記防水シートは、当該防水シートに隣接して上に設けられる前記防水シートよりも先に前記パイプ及び前記面材に貼り付けられており、隣接して上に設けられる前記防水シートは、当該防水シートに隣接して下に設けられる前記防水シートに部分的に重ねて貼り付けられている構成であってもよい。
【００２２】
かかる構成によると、下側の防水シートが先に貼り付けられているとともに、上側の防水シートが下側の防水シートと部分的に重なるように貼り付けられるので、上から垂れてくる雨水等が防水シートの間に浸入することを好適に防止することができる。
【００２３】
また、本発明の防水構造は、面材と、当該面材に形成されたパイプ挿通孔部に挿通された円筒形状のパイプと、前記面材及び前記パイプの間を塞ぐための折曲可能かつ伸張性を有する防水シートと、を備える防水構造であって、前記防水シートには、当該防水シートの中央部に位置する孔部と、一端部が前記孔部に連結されているとともに他端部が当該防水シートの一辺から開放されている一の切欠溝部と、が形成されており、前記孔部の径は、前記パイプの外径よりも小さく、前記防水シートは、前記孔部及び前記切欠溝部の前記孔部側となる端部を含み前記パイプの外周面に貼り付けられるパイプ貼付部と、前記面材に貼り付けられる面材貼付部と、を備え、前記パイプ貼付部は、伸張した状態で前記パイプの外周面に貼り付けられており、前記切欠溝部の両側は、前記パイプ貼付部及び前記面材貼付部のそれぞれにおいて、互いに重ねられていることを特徴とする。
【００２４】
かかる構成によると、１枚の防水シートで２枚以上の前記防水シートと同様の効果を奏することができる。
また、かかる構成によると、孔部の径がパイプの外径よりも小さいので、孔部からパイプの外径と同じとなる部位までの範囲をいわゆるパイプ貼付部とするとともにそれ以外の部位をいわゆる面材貼付部とすることができ、パイプ貼付部を、当該パイプ貼付部の切欠部側をパイプの周方向に伸張させながらパイプの外周面に貼り付けるとともに、面材貼付部をほぼ伸張させずに面材に貼り付けることが可能となる。したがって、面材に貼り付けられる部位の伸張率をより好適に抑えることができる。
【発明の効果】
【００２９】
本発明によれば、面材と、当該面材に形成されたパイプ挿通孔部に挿通されるパイプと、の間を塞ぐにあたって、施工時のパイプへの貼付作業が容易であるとともに、施工時における防水シートの切れ、及び、施工後における防水シートの剥がれを抑制することができる。
【図面の簡単な説明】
【００３０】
【図１】本発明の第一の実施形態に係る防水構造を示す図であり、（ａ）は斜視図、（ｂ）は（ａ）のＸ１矢視断面図である。
【図２】本発明の第一の実施形態に係る伸張性防水シートセットを示す図であり、（ａ）は未使用状態の伸張性防水シートセットの正面図、（ｂ）は未使用状態の伸張性防水シートの側面図である。
【図３】本発明の第一の実施形態に係る伸張性防水シート作成用シートを示す図であり、未使用状態の伸張性防水シート作成用シートの背面図である。
【図４】本発明の第一の実施形態に係る防水施工方法を示す図であり、（ａ）は斜視図、（ｂ）は（ａ）のＸ２矢視断面図である。
【図５】（ａ）は、本発明の第二の実施形態に係る伸張性防水シート作成用シートを示す図であり、未使用状態の伸張性防水シート作成用シートの背面図、（ｂ）は、本発明の第二の実施形態に係る伸張性防水シートを示す図であり、未使用状態の伸張性防水シートの正面図である。
【発明を実施するための形態】
【００３１】
以下、本発明の実施形態について、防水シートとして伸張性を有する伸張性防水シートを用いた場合を例にとり、適宜図面を参照しながら説明する。同様の部分には同一符号を付し、重複する説明を省略する。
【００３２】
＜第一の実施形態＞
図１に示すように、本発明の第一の実施形態に係る防水構造１は、換気、排水、配管、配線等のために住宅等の建築物の内外を連通するパイプ４の周りを防水する構造であって、面材２と、透湿防水シート３と、パイプ４と、伸張性防水シートセット５と、を備える。
【００３３】
＜面材＞
面材２は、建築物の外壁部として用いられる構造用面材、又は、パイプ４を支持するために構造用面材と別に設けられるパイプ受けである。面材２には、円形穴であるパイプ挿通孔部２ａが形成されている。
【００３４】
＜透湿防水シート＞
透湿防水シート３は、面材２の一面（屋外側面）に貼り付けられた防水シート（防水紙）の一例であって、透湿性及び防水性を兼ね備えるシート（例えば不織シート）である。透湿防水シート３には、パイプ挿通孔部２ａと重なる位置に当該パイプ挿通孔部２ａと同径の円形穴であるパイプ挿通孔部３ａが形成されている。
【００３５】
＜パイプ＞
パイプ４は、いわゆる塩ビパイプ等といった樹脂製のパイプであって、円筒形状を呈しており、パイプ挿通孔部２ａ，３ａに挿通されている。パイプ４の外径ｒａは、パイプ挿通孔部２ａ，３ａの径と略同一である。
【００３６】
これら面材２、透湿防水シート３及びパイプ４の材料、サイズ等は、適宜設定可能である。
【００３７】
＜伸張性防水シートセット／伸張性防水シート＞
伸張性防水シートセット５は、パイプ４と面材２及び透湿防水シート３との間に形成される隙間を塞ぐことによって、雨水等が当該隙間から建築物内へ浸入することを防ぐためのものである。伸張性防水シートセット５は、２枚以上（本実施形態では、上下一対の２枚）の伸張性防水シート１０Ａ（１０Ｕ，１０Ｄ）によって構成される。
【００３８】
図２（ｂ）に示すように、伸張性防水シート１０Ａ（１０Ｕ，１０Ｄ）は、防水性及び折曲可能な柔軟性を有するシートであって、それぞれ、基材１０ａと、粘着材１０ｂと、を備える。また、未使用状態の伸張性防水シート１０Ａ（１０Ｕ，１０Ｄ）には、非伸張性の剥離材１０ｃが設けられている。
【００３９】
基材１０ａは、例えばポリエチレンフィルムであって、折曲可能な柔軟性を有するとともに、伸張性と防水性とを兼ね備える。
【００４０】
粘着材１０ｂは、例えばブチルゴム系粘着材であって、折曲可能な柔軟性を有するとともに、伸張性と粘着性とを兼ね備える。また、粘着材１０ｂは、ある程度の防水性を有する。粘着材１０ｂは、基材１０ａの一面（すなわち、貼付面）の全体にわたって設けられており、基材１０ａを透湿防水シート３の一面及びパイプ３の外周面に粘着固定する。
【００４１】
剥離材１０ｃは、剥離紙（離型紙ともいう）又は剥離フィルム（離型フィルムともいう）であって、例えばシリコーン処理紙である。未使用状態の伸張性防水シート１０Ａにおいて、伸張性防水シート１０Ａの一面（貼付面）に設けられた粘着材１０ｂは、剥離材１０ｃによって保護されている。
【００４２】
換言すると、本実施形態において、伸張性防水シート１０Ａは、基材１０ａと粘着材１０ｂとが積層されたシート本体１０ｄからなる。伸張性防水シート１０Ａの両面のうち、粘着材１０ｂ側の面は、面材２（透湿防水シート３）及びパイプ４の外周面に貼り付けられる粘着面１０ｅであり、未使用状態では、剥離材１０ｃによって被覆されている。また、伸張性防水シート１０Ａの両面のうち、基材１０ａ側の面は、粘着性を有していない非貼付面１０ｆであり、未使用状態でも露出している。
【００４３】
図２（ａ）に示すように、矩形状を呈する伸張性防水シート１０Ａには、一辺に円弧形状を呈する切欠部１１が形成されている。詳細には、上側の伸張性防水シート１０Ｕには、下辺に円弧形状を呈する切欠部１１が形成されており、下側の伸張性防水シート１０Ｄには、上辺に円弧形状を呈する切欠部１１が形成されている。切欠部１１は、当該切欠部１１が形成される一辺と、伸張性防水シート１０Ａの中央側に向かって凹む円弧形状を呈する。かかる円弧形状は、伸張性防水シート１０Ａの中心を通るとともに切欠部１１が形成される一辺と直交する直線上に中心が位置する円の一部である。切欠部１１の径ｒｂは、パイプ４の外径ｒａ以下の大きさである。なお、基材１０ａ及び粘着材１０ｂの設計によっては、切欠き部１１の径ｒｂをパイプ４の外径ｒａと同一又はパイプ４の外径ｒａよりも大きくすることも可能である。また、本実施形態において、切欠き部１１の左右両端部は、互いに平行な直線形状を呈する。
【００４４】
本実施形態において、伸張性防水シート１０Ｕ，１０Ｄの切欠部１１の円弧形状の中心角θは、それぞれ１８０度よりも大きい。したがって、伸張性防水シートセット５における２枚の伸張性防水シート１０Ａの切欠部１１の円弧形状の中心角の合計は、３６０度以上である（本実施形態では、３６０度よりも大きい）。
【００４５】
伸張性防水シート１０Ａは、パイプ貼付部１２と、面材貼付部１３と、重ね部１４と、を備える。
【００４６】
パイプ貼付部１２は、伸張性防水シート１０Ａにおける切欠部１１を含む部位であって、伸張しながらパイプ４の外周面に貼り付けられる部位である。パイプ貼付部１２は、径ｒｂの切欠部１１を先端部とし、径ｒｂと同心でありパイプ４の外径ｒａと同じ大きさの径ｒｃの円弧形状を基端部とする。パイプ貼付部１２の基端部は、パイプ貼付部１２と面材貼付部１３との境界部分である。伸張性防水シート１０Ａ（１０Ｕ，１０Ｄ）は、折曲可能な柔軟性を有しており、パイプ貼付部１２と面材貼付部１３との境界部分において折り曲げられる。また、パイプ貼付部１２は、パイプ３の外周面に沿うように曲げられる。
【００４７】
面材貼付部１３は、伸張性防水シート１０Ａにおけるパイプ貼付部１２以外の部位であって、ほぼ伸張せずに面材２（本実施形態では、透湿防水シート３）の一面（屋外側面）に貼り付けられる部位である。
【００４８】
重ね部１４は、伸張性防水シート１０Ａにおける切欠部１１の両端部において、当該切欠部１１が形成された辺に沿う部位であって、隣接する他の伸張性防水シート１０Ａの重ね部１４と重ねられる部位である。
【００４９】
＜防水施工方法＞
続いて、本発明の第一の実施形態に係る伸張性防水シートセット５を用いた防水施工方法について、図１〜図４を参照して説明する。
【００５０】
＜伸張性防水シート作成用シート＞
まず、作業者は、切欠部１１（図２（ａ）参照）が形成されていない矩形状を呈する２枚の伸張性防水シート作成用シート１０Ｙを用意する（図３参照）。伸張性防水シート作成用シート１０Ｙは、矩形状を呈するシート本体１０ｄの粘着面１０ｅが剥離材１０ｃによって被覆されたものである（図２（ｂ）参照）。図３に示すように、伸張性防水シート作成用シート１０Ｙは、同心円の円弧形状である複数のサイズの切欠部形成補助線１１ａ，１１ｂ及び切欠部形成補助線１１ａ，１１ｂのそれぞれに対応するパイプ外周線１２ａ，１２ｂ（本実施形態では、円弧形状）を備える。
切欠部形成補助線１１ａ，１１ｂ及びパイプ外周線１２ａ，１２ｂは、剥離材１０ｃに描かれている。パイプ外周線１２ａ，１２ｂは、複数のサイズのパイプ４の外径と同一径を有する円弧形状を呈しており、切欠部形成補助線１１ａ，１１ｂは、カットの目安となる線であって、それぞれ、対応するパイプ外周線１５ａ，１５ｂよりも小さい径を有する円弧形状を呈する。
【００５１】
作業者は、伸張性防水シート作成用シート１０Ｙの一辺から所望の切欠部形成補助線１１ａ，１１ｂ（図２（ａ）では、切欠部形成補助線１１ａ）に沿って切り取ることによって切欠部１１を形成する。作業者は、かかる作業を２枚の伸張性防水シート作成用シートに対して行うことによって、図２（ａ）に示す伸張性防水シート１０Ｕ，１０Ｄを作成する（加工ステップ）。
【００５２】
続いて、作業者は、下側の伸張性防水シート１０Ｄから剥離材１０ｃを取り外し、図３（ａ）（ｂ）に示すように、パイプ貼付部１２の先端部すなわち切欠部１１を、切欠部１１の円弧形状に沿う方向、すなわち、パイプ４の外周面の周方向に伸張させながら、パイプ４の外周面に貼り付ける（下側の伸張性防水シート１０Ｄの貼付ステップ）。ここで、切欠部１１の貼付位置と透湿防水シート３の一面との距離は、パイプ貼付部１２の基端部の径ｒｂと先端部の径ｒｃとの差ｒｂ−ｒｃとほぼ同じである。
【００５３】
続いて、作業者は、棒状又はパイプ４の外周面に沿うヘラ状の治具Ｊを用いて伸張性防水シート１０Ｄのパイプ貼付部１２をパイプ４の外周面に押し付けることによって、伸張性防水シート１０Ｄのパイプ貼付部１２をパイプ４の外周面に貼り付ける（下側の伸張性防水シート１０Ｄの貼付ステップ）。
【００５４】
かかる貼付ステップにおいて、伸張性防水シート１０Ｄのパイプ貼付部１２は、先端部である切欠部１１に近づくほど当該切欠部１１の円弧形状に沿う方向への伸張率が大きくなるように伸張されてパイプ４の外周面に貼り付けられる（図２（ａ）の矢印Ｋ１，Ｋ２参照）。
【００５５】
続いて、作業者は、伸張性防水シート１０Ｄの面材貼付部１３をほぼ伸張させずに面材２の一面、本実施形態では、透湿防水シート３の一面に貼り付ける（下側の伸張性防水シート１０Ｄの貼付ステップ）。
【００５６】
続いて、作業者は、図１（ａ）（ｂ）に示すように、上側の伸張性防水シート１０Ｕに関して、下側の伸張性防水シート１０Ｄと同様にパイプ４の外周面及び透湿防水シート３の一面に貼り付ける（上側の伸張性防水シート１０Ｕの貼付ステップ）。
【００５７】
かかる貼付ステップにおいて、上側の伸張性防水シート１０Ｕの重ね部１４は、下側の伸張性防水シート１０Ｄの重ね部１４に重ねて貼り付けられる。
【００５８】
本発明の第一の実施形態に係る防水構造１は、パイプ４の形状に合わせてカットされた伸張性防水シート１０Ａを用いるので、切欠部１１側を伸張させてパイプ４の外周面に貼り付けるとともにそれ以外の部位をほぼ伸張させずに面材２（透湿防水シート３）の一面に貼り付けることが可能となる。
したがって、伸張性防水シート１０Ａの伸張率を抑え、施工時における伸張性防水シート１０Ａの切れ、及び、施工後の伸張性防水シート１０Ａの剥がれを抑制することができる。
特に、透湿防水シート３が起毛した不織布状のものである場合であっても、透湿防水シート３に貼り付けられる面材貼付部１３をほぼ伸張させずに済むので、施工後の伸張性防水シート１０Ａの剥がれを好適に抑制することができる。
また、防水構造１は、切欠部１１をパイプ４の外周面に沿わせた状態で伸張性防水シート１０Ａをパイプ４の外周面及び面材２（透湿防水シート３）の一面に貼り付けることが可能であるので、施工が容易である。
また、面材２（透湿防水シート３）に貼り付けられる部位すなわち面材貼付部１３の伸張率を抑えることによって、面材貼付部１３が剥がれにくくなるので面材貼付部１３の面積を広く確保することができ、防水性を向上することができる。
また、防水構造１は、切欠部１１の円弧形状の径ｒｂがパイプ４の外周面の径ｒａよりも小さいので、径ｒｂから径ｒａまでの範囲をパイプ貼付部１２とするとともにそれ以外の部位を面材貼付部１３とすることができ、面材貼付部１３の伸張率をより好適に抑えることができる。
また、伸張性防水シート１０Ａは、伸張性を有しているので、ある程度サイズの異なるパイプ４にも対応可能である。
【００５９】
また、防水構造１は、２枚の伸張性防水シート１０Ｕ，１０Ｄの切欠部１１の円弧形状の中心角θの合計が３６０度以上であるので、パイプ４の外周全体にわたって好適に防水することができる。
【００６０】
また、防水構造１は、下側の伸張性防水シート１０Ｄが先に貼り付けられているとともに、上側の伸張性防水シート１０Ｕが下側の伸張性防水シート１０Ｄと部分的に重なるように貼り付けられているので、上から垂れてくる雨水等が伸張性防水シート１０Ｕ，１０Ｄの間に浸入することを好適に防止することができる。
【００６１】
また、本発明の第一の実施形態に係る伸張性防水シート作成用シート１０Ｙは、剥離材１０ｃに切欠部１１を形成するための複数のサイズの切欠部形成補助線１１ａ〜１１ｃが形成されているので、一種類の伸張性防水シート作成用シート１０Ｙで複数のサイズのパイプ４に対応することができる。
【００６２】
＜第二の実施形態＞
続いて、本発明の第二の実施形態に係る防水構造の伸張性防水シート作成用シート及び伸張性防水シートについて、第一の実施形態に係る伸張性防水シート作成用シート１０Ｙ及び伸張性防水シート１０Ａとの相違点を中心に説明する。
【００６３】
＜伸張性防水シート作成用シート＞
図５（ａ）に示すように、本発明の第二の実施形態に係る伸張性防水シート作成用シート１０Ｚは、伸張性防水シート作成用シート１０Ｙと同様に、矩形状を呈するシート本体１０ｄの粘着面１０ｅが剥離材１０ｃによって被覆されたものである（図２（ｂ）参照）。伸張性防水シート作成用シート１０Ｚは、同心円である複数のサイズの孔部形成補助線１５ａ，１５ｂ，１５ｃ及び孔部形成補助線１５ａ，１５ｂ，１５ｃのそれぞれに対応するパイプ外周線１２ａ，１２ｂ，１２ｃを備える。孔部形成補助線１５ａ〜１５ｃ及びパイプ外周線１２ａ〜１２ｃは、剥離材１０ｃに描かれている。
パイプ外周線１２ａ〜１２ｃは、複数のサイズのパイプ４の外径と同一径を有する円形状を呈しており、孔部形成補助線１５ａ〜１５ｃは、カットの目安となる線であって、それぞれ、対応するパイプ外周線１５ａ〜１５ｃよりも小さい径を有する円形状を呈する。
【００６４】
＜伸張性防水シート＞
図５（ｂ）に示すように、本発明の第二の実施形態に係る伸張性防水シート１０Ｂは、孔部１５と、切欠溝部１６と、を備える。
【００６５】
孔部１５は、伸張性防水シート１０Ｂの中央部においてパイプ４を挿通可能な部位である。かかる孔部１５は、第一の実施形態における２枚の伸張性防水シート１０Ｕ，１０Ｄの切欠き部１１を組み合わせたものに相当する。なお、基材１０ａ及び粘着材１０ｂの設計によっては、孔部１５の径をパイプ４の外径ｒａと同一又はパイプ４の外径ｒａよりも大きくすることも可能である。
【００６６】
切欠溝部１６は、一端部が孔部１５に連結されているとともに他端部が伸張性防水シート１０Ｂの一辺（例えば、下辺）から開放されている。切欠溝部１６の両側は、互いに重ねて貼り付けられる重ね部１４である。
【００６７】
かかる伸張性防水シート１０Ｂは、伸張性防水シート作成用シート１０Ｚを切り取り加工することによって作成される。詳細には、作業者は、伸張性防水シート作成用シート１０Ｚの一辺から所望の孔部形成補助線１５ａ〜１５ｃ（図４（ｂ）では、孔部形成補助線１５ａ）まで切り込みを入れることによって切欠溝部１６を形成し、続いて、所望の孔部形成補助線１５ａ〜１５ｃに沿って切り取ることによって孔部１５を形成する。
【００６８】
かかる伸張性防水シート１０Ｂは、第一の実施形態における２枚の伸張性防水シート１０Ｕ，１０Ｄを１枚にまとめたものに相当しており、孔部１５と当該孔部１５に対応するパイプ外周線１２ａ〜１２ｃとの間がパイプ貼付部１２となり、パイプ貼付部１２以外の部位が面材貼付部１３となる。作業者は、孔部１５を第一の実施形態に係る伸張性防水シート１０Ａの切欠部１１と見立て、パイプ貼付部１２を伸張させながらパイプ４の外周面に貼り付けるとともに、面材貼付部１３をほぼ伸張させずに面材２の一面、本実施形態では、透湿防水シート３の一面に貼り付ける。
【００６９】
本発明の第二の実施形態に係る伸張性防水シート作成用シート１０Ｚは、剥離材１０ｃに孔部１５を形成するための複数のサイズの孔部形成補助線１５ａ〜１５ｃが形成されているので、１枚の伸張性防水シート作成用シート１０Ｚで複数のサイズのパイプ４に対応することができる。また、伸張性防水シート作成用シート１０Ｚは、剥離材１０ｃにパイプ外周線１２ａ〜１２ｃが形成されているので、伸張性防水シート作成用シート１０Ｚから作成された伸張性防水シート１０Ｂを貼り付ける際に、どこまでをパイプ貼付部１２として伸張させるかを作業者に把握させることができる。
【００７０】
また、本発明の第二の実施形態に係る伸張性防水シート１０Ｂは、１枚の伸張性防水シート１０Ｂで第一の実施形態に係る伸張性防水シートセット５と同様の効果を奏することができる。
【００７１】
以上、本発明の実施形態について説明したが、本発明は前記実施形態に限定されず、本発明の要旨を逸脱しない範囲で適宜変更可能である。例えば、伸張性防水シートセットにおける伸張性防水シートの枚数は、３枚以上であってもよい。例えば、伸張性防水シートセットがＮ枚の伸張性防水シートによって構成される場合には、１枚の伸張性防水シートの切欠部の円弧形状の中心角は、３６０／Ｎ度以上に設定可能である。
【００７２】
また、伸張性防水シートセットにおける複数枚の伸張性防水シートの形状は、それぞれ異なる、すなわち、切欠部の円弧形状の中心角の大きさが異なる構成であってもよい。この場合にも、円弧形状の中心角の合計を３６０度以上とすることによって、パイプ４の外周全体にわたって好適に防水することができる。また、この場合において、パイプの外周の比較的狭い範囲を防水する伸張性防水シートに関しては、円弧形状を呈する切欠部が形成されていない構成であってもよい。
【００７３】
また、伸張性防水シート作成用シート１０Ｙ，１０Ｚにおいて、切欠部形成補助線１１ａ，１１ｂ、孔部形成補助線１５ａ，１５ｂ，１５ｃ及びパイプ外周線１２ａ，１２ｂ，１２ｃは、剥離材１０ｃではなく基材１０ａの非貼付面１０ｆに形成されていてもよい。特に、パイプ外周線１２ａ，１２ｂ，１２ｃが基材１０ａの非貼付面に形成されている場合には、切欠部１１又は孔部１５に対応するパイプ外周線を面材２の一面とパイプ４の外周面との間の折り曲げ部として位置決めすることが可能となるので、貼付作業が容易になる。
【００７４】
また、切欠部１１は略円弧形状であればよい。すなわち、切欠部１１は、円弧形状の円に内接又は外接する多角形（例えば、正六角形以上の正多角形）の一部等、円弧形状とみなすことが可能な形状とすることができる。同様に、孔部１５は、略円形状であればよい。すなわち、孔部１５は、円に内接又は外接する多角形（例えば、正六角形以上の正多角形）等、円弧形状とみなすことが可能な形状とすることができる。
【００７５】
また、本発明の防水シート、防水シートセット及び防水シート作成用シートは、伸張性を有するものに限定されず、伸縮性を有するものであってもよく、伸張性を有しないものであってもよい。防水シート、防水シートセット及び防水シート作成用シートが伸張性を有しない場合には、切欠部又は孔部の径をパイプの外周面の径以上の大きさに設定することが望ましい。この場合には、防水シート及び防水シートセットの面材貼付部において、切欠部又は孔部と対向する辺から切欠部又は孔部方向への切り込みを形成することによって、当該切り込みの両側を重ねるように面材へ貼り付けることによって、面材貼付部にシワ等ができることを防ぐことができる。
【００７６】
また、本発明の防水シート及び防水シート作成用シートは、両面が貼付可能ないわゆる両面テープによるものであってもよい。この場合には、基材の両面に、それぞれ粘着材及び当該粘着材を保護する剥離材が設けられている。かかる両面テープからなる防水シート及び防水シート作成用シートにおいても、基材及び粘着材は、伸張性又は伸縮性を有していてもよく、伸張性を有していない非伸張性であってもよい。
【００７７】
さらに、本発明の防水シートは、基材が省略されて粘着材が防水性を発揮する構成であってもよい。この場合には、粘着材単体が前記したシート本体となり、防水シート及び当該防水シートを作成するための防水シート作成用シートの粘着材の両面は、未使用状態において、剥離材によって保護されている。使用時には、粘着材の両面から剥離材が除去されて、粘着材が前記したように面材及びパイプの外周面に貼り付けられて防水性を発揮する。
【００７８】
また、基材及び粘着材の材質は、防水性等を発揮することができるものであれば適宜変更可能であり、例えば、粘着材は、アスファルト系粘着材であってもよい。
【符号の説明】
【００７９】
１      防水構造
２      面材
２ａ    パイプ挿通孔部
３      透湿防水シート
３ａ    パイプ挿通孔部
４      パイプ
５      伸張性防水シートセット（防水シートセット）
１０Ａ，１０Ｂ，１０Ｕ，１０Ｄ  伸張性防水シート（防水シート）
１０Ｙ，１０Ｚ  伸張性防水シート作成用シート（防水シート作成用シート）
１０ａ  基材
１０ｂ  粘着材
１０ｃ  剥離材
１０ｄ  シート本体
１０ｅ  粘着面
１１    切欠部
１１ａ，１１ｂ  切欠部形成補助線
１２    パイプ貼付部
１３    面材貼付部
１４    重ね部
１５    孔部
１５ａ，１５ｂ，１５ｃ  孔部形成補助線
１６    切欠溝部
ｒａ    パイプの外径
ｒｂ    切欠部の径（パイプ貼付部の先端部の径）
ｒｃ    パイプ貼付部の基端部の径
【図１】
0006654836.tif 000002
【図２】
0006654836.tif 000003
【図３】
0006654836.tif 000004
【図４】
0006654836.tif 000005
【図５】
0006654836.tif 000006